(57)【特許請求の範囲】
【請求項１】
水が貯留され該水の表面近傍にヨシの茎を浮上静置可能な発芽発根用貯水池と、所定の苗床資材が敷設されるとともに該苗床資材の天端よりも水位が高くなるように水が張られてなり前記発芽発根用貯水池で発芽発根したヨシの茎が配置されるようになっている苗床と、前記発芽発根用貯水池及び前記苗床に水を供給する給水設備とから構成するとともに、育苗中に前記苗床内の水を流水させることができるように前記苗床及び前記給水設備の少なくともいずれかを構成したことを特徴とするヨシの育苗システム。
【発明の詳細な説明】
【技術分野】
【０００１】
本発明は、主として干潟などの湿地帯に移植するためにヨシの苗を育てるヨシの育苗システムに関する。
【背景技術】
【０００２】
自然環境の保全や復元を行うため、水辺に干潟などの湿地帯を造成することによって、水生植物や野鳥、魚介類などの生育環境を作り出し、良好な水辺の景観をもたらすことが期待されている。
【０００３】
湿地帯で良好な自然環境を作り出すためには、造成した湿地帯に水生植物を移植するのが有効である。かかる場合には、周辺地域に生育している水生植物の群落から植物を採取し、これを造成した湿地帯に移植する方法が望ましく、かかる植物としてヨシを用いることが多い。
【０００４】
ヨシは湿地に群生するイネ科の多年草であり、毎年４月頃から地下茎より芽を出して葉を繁らせ、８〜１０月に穂を出し実を結ぶ。その後、冬に地上部は枯れて、翌年の成長に備えて地下茎に養分を貯える。
【０００５】
ヨシを移植するにあたっては、かかるサイクルに基づいて考えられており、従来、１０月〜１１月に種子を採取して播種し又は該種子を育苗して植える、１１月〜３月に地下茎を掘り取って植える、４月〜１０月に大株を地下茎ごと掘り取って植える、４月〜５月に地上部の茎を根元から切り取って植える、刈り取った茎を浸漬させるなどの方法で行われてきた。
【０００６】
浸漬法は、５月〜８月にヨシの茎を切り取り、これを水に浸漬させて茎の節から発芽発根させ、次いで発芽発根した茎を短く切り取ってポット等に植え替え、かかる状態で半年以上育苗し、しかる後、育った苗を移植する方法をいう。
【０００７】
【特許文献１】特開平１０−３１３７１５号公報
【特許文献２】特開平１０−１３６７７１号公報
【特許文献３】特開平０７−０９５８１８号公報
【発明の開示】
【発明が解決しようとする課題】
【０００８】
しかしながら、種子を利用する方法では、土壌や気候等の条件によって発芽率にばらつきがあるうえ、育苗にも２年以上かかるという問題を生じ、地下茎や大株を植える方法では、地下から採取する際に大変な労力を要するうえ、ヨシが自生している採取地を攪乱することになるため、ヨシの生育環境を著しく損なうという問題を生じていた。
【０００９】
また、茎を植える方法では、４月〜５月頃に陸上域に生育しているヨシを利用するのが望ましいと言われているが、適期が限られるうえ、ヨシの群落は、一般的には湿地帯に存在していることが多いため、実際には陸上域のヨシを利用するのが難しいという問題を生じていた。
【００１０】
また、浸漬法では、採取の労力は比較的少ないが、ポットに植え替える作業が伴うのみならず、育苗するのに半年〜１年の期間を要するという問題を生じていた。
【００１１】
なお、市販されている苗を用いることも考えられるが、これを大量に調達するにはコスト面で難があるという問題も生じていた。
【課題を解決するための手段】
【００１２】
本発明は、上述した事情を考慮してなされたもので、移植可能なヨシの苗を大量かつ短期間に確保することが可能なヨシの育苗システムを提供することを目的とする。
【００１３】
上記目的を達成するため、本発明に係るヨシの育苗システムは請求項１に記載したように、水が貯留され該水の表面近傍にヨシの茎を浮上静置可能な発芽発根用貯水池と、所定の苗床資材が敷設されるとともに該苗床資材の天端よりも水位が高くなるように水が張られてなり前記発芽発根用貯水池で発芽発根したヨシの茎が配置されるようになっている苗床と、前記発芽発根用貯水池及び前記苗床に水を供給する給水設備とから構成するとともに、育苗中に前記苗床内の水を流水させることができるように前記苗床及び前記給水設備の少なくともいずれかを構成したものである。
【００１８】
第１の参考発明に係るヨシの育苗システムにおいては、所定の苗床資材が敷設されるとともに該苗床資材の天端よりも水位が高くなるように水が張られてなる苗床と、該苗床に水を供給する給水設備とから構成してあり、ヨシの育苗を行う際は、苗床にヨシの茎を水平配置し、給水設備で苗床に水を流水供給しながら育苗する。
【００１９】
このようにすると、苗床に配置されたヨシの茎は、その節から発芽発根し、育苗資材へと根を伸ばして苗として成育するが、ここで、育苗中に苗床内の水を流水させることができるように苗床及び給水設備の少なくともいずれかを構成してあるので、従来の育苗方法を用いた場合よりもヨシの成育が早く、育苗を開始してから１，２ヶ月ほどで移植可能な状態となる。これは、苗床内の水を流水させることによって苗床に十分な酸素が供給されるためと思われる。
【００２０】
また、苗床に予め苗床資材を敷設してあるため、従来のようにポットに植え替えをする工程を省略することができる。
【００２１】
給水設備は、苗床に水を供給することができるのであればどのように構成するかは任意である。また、どのように苗床内の水を流水させるかも任意であり、地形の段差や斜面等を利用して苗床を作り、自然に流水させるように構成してもかまわないし、所定の給水ポンプや排水ポンプを用いて強制的に流水させるように構成してもかまわない。
【００２２】
例えば、給水設備を、河川、湖沼等の水源から導水された水を貯水する開放型貯水槽と、該開放型貯水槽内と前記苗床内とを連通させる給水管とから構成するとともに、前記苗床内に設定された越流水位を前記苗床内の水位が上回ったときに該苗床内の水がオーバーフロー水として前記苗床の外に排水されるように前記苗床を構成することが考えられる。
【００２３】
このようにすると、水源から導水された水を開放型貯水槽に貯水する際、水の中に多量の酸素が溶け込む。そして、このように酸素を多く含んだ水が給水管を介して苗床に流入し該苗床内を流水することとなるため、ヨシの育苗に必要な酸素が十分に苗床に供給されることとなる。
【００２４】
また、所定の越流水位を上回った水が苗床の外に排水されることとなり、苗床内の水を確実に流水させることができるとともに、苗床の水位をヨシの育苗に適した水位に保つことが可能となる。
【００２５】
開放型貯水槽は、水の流入時あるいは貯水時に該水の中に酸素を溶け込ませることができるよう、流入貯水される水が大気に接しあるいは大気に連通するようにしてあれば、どのように構成するかは任意であるが、苗床への給水を考慮して苗床よりも高い位置へ設置するのが望ましい。この場合には、開放型貯水槽と苗床とのヘッド差によって苗床内の水が自然に流水する。
【００２６】
給水管は、開放型貯水槽内と苗床内とを連通させるものであれば、どのように構成するかは任意であるが、苗床への給水量を調整できるように流量調整バルブを設けておくのが望ましい。
【００２７】
また、オーバーフロー水は、これをそのまま河川、湖沼、排水溝等に排水するようにしてもかまわないが、これに代えて、オーバーフロー水を開放型貯水槽に循環させるようにすることも考えられる。
【００２８】
また、苗床の設置数については任意であるが、これを複数設ける場合において、前記苗床を直列に複数配置するとともに、該苗床のうち、互いに隣接する苗床同士を連通管で互いに連通させて該連通管内を前記オーバーフロー水が上流側の苗床から下流側の苗床に流入するようにし、前記各苗床のうち、最も上流側に位置する苗床に前記給水管を連通させたしてもかまわない。
【００２９】
このようにすると、複数の苗床内の水を効率よく流水させることが可能となる。
【００３０】
苗床資材は、ヨシを苗に成育させることができるのであればどのようなものを用いてもよく、例えば通常の砂や土、あるいは肥料を混ぜた土などを使用することが考えられるが、浚渫泥土又は該浚渫泥土を脱水処理して生成された脱水ケーキを苗床資材としてもかまわない。
【００３１】
かかる場合においては、浚渫泥土又は該浚渫泥土を脱水処理して生成された脱水ケーキに栄養塩が多く含まれているため、ヨシの成育により適した環境となり、かくしてヨシの成長が促進され育苗期間がより短縮される。また、脱水ケーキは、通常、固化材を添加して盛土材等に利用されることが多いが、固化材を添加しない脱水ケーキや浚渫泥土については、これらを廃棄処分することなく、有効利用することが可能となる。
【００３２】
一方、本発明に係るヨシの育苗システムにおいては、まず、発芽発根用貯水池にヨシの茎を浮かべて発芽発根させ、次に、発芽発根した節が含まれるように必要に応じてヨシの茎を短く切り取り、かかるヨシの茎を苗床に配置して育苗する。したがって、発芽発根したヨシの茎のみを選別して苗床に配置することができるので、苗床を効率よく使用することが可能となるとともに、ヨシの育苗効率を向上させることが可能となる。
【００３３】
なお、ヨシの茎を浮上静置して発芽発根させる際は、ヨシの茎が水中に沈まないように複数本のヨシの茎を緩く束ねて水に浮かべるのが望ましい。
【００３４】
また、発芽発根したヨシの茎を苗床に入れる際は、ヨシの根が苗床資材に定着して栄養分を苗床資材から吸収しやすいように、ヨシの茎を苗床資材に少し埋めるように入れるのが望ましい。
【００３５】
発芽発根用貯水池は、水を溜めてヨシの茎を浮上静置できるのであればどのように構成するかは任意であるが、苗床の場合と同様、発芽発根用貯水池に水を供給する給水設備を備えるとともに、給水設備から供給された水で発芽発根用貯水池内の水が流水するように構成してもかまわない。
【００３６】
第１の参考発明に係るヨシの育苗システムを用いてヨシを育苗するには、まず、所定の苗床資材が敷設されるとともに該苗床資材の天端よりも水位が高くなるように水が張られてなる苗床にヨシの茎を水平配置する。次に、かかる状態で該苗床に水を流水供給しながらヨシの茎からヨシを育苗する。
【００３７】
このようにすると、苗床に水平配置されたヨシの茎は、その節から発芽発根し、育苗資材へと根を伸ばして苗として成育するが、ここで、苗床に水を流水供給しながらヨシの苗を育苗するので、従来の育苗方法を用いた場合よりもヨシの成育が早く、育苗を開始してから１，２ヶ月ほどで移植可能な状態となる。これは、苗床内の水を流水させることによって苗床に十分な酸素が供給されるためと思われる。
【００３８】
また、苗床に予め苗床資材を敷設してあるため、従来のようにポットに植え替えをする工程を省略できる。
【００３９】
苗床資材は、ヨシを苗に成育させることができるのであればどのようなものを用いてもよく、例えば通常の砂や土、あるいは肥料を混ぜた土などを使用することが考えられるが、浚渫泥土や該浚渫泥土を脱水処理して生成された脱水ケーキを苗床資材としてもかまわない。
【００４０】
かかる場合においては、浚渫泥土や該浚渫泥土を脱水処理して生成された脱水ケーキに栄養塩が多く含まれているため、ヨシの成育により適した環境となり、かくしてヨシの成長が促進され育苗期間がより短縮される。また、脱水ケーキは、通常、固化材を添加して盛土材等に利用されることが多いが、固化材を添加しない脱水ケーキや脱水処理しない浚渫泥土については、これらを廃棄処分することなく、有効利用することが可能となる。
【００４１】
一方、本発明に係るヨシの育苗システムにおいては、苗床にヨシの茎を水平配置する前に、水が貯留された発芽発根用貯水池の水の表面近傍に該ヨシの茎を浮上静置し、該ヨシの茎から発芽発根させる。
【００４２】
かかる場合においては、まず、発芽発根用貯水池にヨシの茎を浮かべて発芽発根させ、次に、発芽発根した節が含まれるように必要に応じてヨシの茎を短く切り取り、かかるヨシの茎を苗床に配置して育苗する。したがって、発芽発根したヨシの茎のみを選別して苗床に配置することができるので、苗床を効率よく使用することが可能となるとともに、ヨシの育苗効率を向上させることが可能となる。
【００４３】
なお、ヨシの茎を浮上静置して発芽発根させる際は、ヨシの茎が水中に沈まないように複数本のヨシの茎を緩く束ねて水に浮かべるのが望ましい。
【００４４】
また、発芽発根したヨシの茎を苗床に入れる際は、ヨシの根が苗床資材に定着して栄養分を苗床資材から吸収しやすいように、ヨシの茎を苗床資材に少し埋めるように入れるのが望ましい。
【００４５】
発芽発根用貯水池は、水を溜めてヨシの茎を浮上静置できるのであればどのように構成するかは任意であるが、苗床の場合と同様、発芽発根用貯水池に水を供給する給水設備を備えるとともに、給水設備から供給された水で発芽発根用貯水池内の水が流水するように構成してもかまわない。
【００４６】
また、第２の参考発明に係るヨシの移植方法においては、まず、水辺にヨシが生育している水域の底泥を浚渫し、次いで、浚渫された浚渫泥土を脱水処理して脱水ケーキを生成する。
【００４７】
次に、脱水ケーキが苗床資材として敷設され該苗床資材の天端よりも水位が高くなるように水が張られてなる苗床を前記水域近傍に設け、該苗床に前記ヨシの茎を水平配置する。
【００４８】
次に、かかる状態で該苗床内で水を流水させつつ前記ヨシの茎からヨシを育苗し、次いで該ヨシの苗を前記水域近傍に形成された干潟等の湿地帯に移植する。
【００４９】
また、第２の参考発明に係るヨシの移植方法においては、まず、水辺にヨシが生育している水域の底泥を浚渫し、次いで、浚渫された浚渫泥土が苗床資材として敷設され該苗床資材の天端よりも水位が高くなるように水が張られてなる苗床を前記水域近傍に設け、該苗床に前記ヨシの茎を水平配置する。
【００５０】
次に、かかる状態で該苗床内で水を流水させつつ前記ヨシの茎からヨシを育苗し、次いで該ヨシの苗を前記水域近傍に形成された干潟等の湿地帯に移植する。
【００５１】
このようにすると、苗床に水平配置されたヨシの茎は、その節から発芽発根し、育苗資材へと根を伸ばして苗として成育するが、ここで、苗床に水を流水供給しながらヨシの苗を育苗するので、従来の育苗方法を用いた場合よりもヨシの成育が早く、育苗を開始してから１，２ヶ月ほどで移植可能な状態となる。これは、苗床内の水を流水させることによって苗床に多くの酸素が十分に供給されるためと思われる。
【００５２】
また、苗床に予め苗床資材を敷設してあるため、従来のようにポットに植え替えをする工程を省略することができる。
【００５３】
また、苗床資材として使用する脱水ケーキや浚渫泥土には栄養塩が多く含まれているため、ヨシの成育により適した環境となり、かくしてヨシの成長が促進され育苗期間がより短縮される。なお、脱水ケーキを作製する際、わざわざ固化材を添加して所定の強度を確保する必要がなくなるとともに、そもそも、脱水処理して脱水ケーキを作製する必要もなくなる。
【００５４】
また、底泥の浚渫を行っている水域近傍で、苗床資材の調達、苗床の設置、ヨシの育苗、ヨシの移植といった全ての作業を行うことができるため、ヨシを用いた自然修復作業の効率が向上するとともに、脱水ケーキ、特に固化材が添加されていない脱水ケーキや浚渫泥土を他の場所に移動して利用したり廃棄処分したりすることなく、その場で有効利用することができるため、経済性に優れた移植方法となるのみならず、固化処理や脱水処理を省略することで浚渫作業のコストを落とすことも可能となる。
【００５５】
また、全ての工程をもともとヨシが水辺に生育していた水域で行うことができるため、ヨシの生育環境を変動させる懸念がなくなり、ヨシの育苗及び移植を大量かつ短期間に行うことが可能となる。
【００５６】
なお、ヨシの苗を移植するにあたっては、これを周辺の苗床資材ごと袋詰めにして運搬することが考えられる。
【００５７】
また、本発明に係るヨシの茎は、節を含んでいるのであればその長さは任意であり、育苗のしやすさや成長の度合い等を勘案して、苗床に配置する前又は発芽発根後に必要に応じて所望の長さに適宜切断することができる。
【００５８】
また、苗床の水位は、低すぎてヨシの茎が乾燥したり、高すぎてヨシの茎が水没したりして発芽に悪影響を及ぼすことがないよう、苗床内の流水性も考慮して、水位が苗床資材の天端よりも高くなるように適宜設定すればよく、例えば、数ｃｍとすることが考えられる。
【発明を実施するための最良の形態】
【００５９】
以下、本発明に係るヨシの育苗システムの実施の形態について、添付図面を参照して説明する。なお、従来技術と実質的に同一の部品等については同一の符号を付してその説明を省略する。
【００６１】
図１は、本実施形態に係るヨシの育苗システムを示した図で、(a)は平面図、(b)は(a)のＡ−Ａ線に沿う断面図である。同図に示すように、本実施形態に係るヨシの育苗システム１は、発芽発根用貯水池４と、苗床２と、該発芽発根用貯水池及び苗床に水を供給する給水設備３とから概ね構成してある。
【００６２】
発芽発根用貯水池４は、図２の詳細図でよくわかるように水１７が貯留され該水の表面近傍にヨシの茎２１を浮上静置できるように構成してある。かかる発芽発根用貯水池４は、地盤１１を矩形状に掘削してピットとし、該ピットの内面側部に土留め用矢板１４をめぐらせてこれを支持杭１３に固定するとともに、防水シート１２をピット内に敷き込み、かかる防水シート１２が敷き込まれたピット内に水１７を張って構成してある。
【００６３】
苗床２は、図３の詳細図でよくわかるように、発芽発根用貯水池４と同様、地盤１１を矩形状に掘削してピットとし、該ピットの内面側部に土留め用矢板１４をめぐらせてこれを支持杭１３に固定するとともに、防水シート１２をピット内に敷き込んであるが、発芽発根用貯水池４とは異なり、かかる防水シート１２が敷き込まれたピットの底部に苗床資材１６を敷設するとともに該苗床資材の天端よりも水位が高くなるように水１７を張って構成してある。
【００６４】
苗床資材１６は、ヨシを苗に成育させることができるよう、通常の砂や土、あるいは肥料を混ぜた土などから適宜選択すればよい。
【００６５】
ここで、苗床２内には、同図に示すように発芽発根したヨシの茎１５が配置されることとなるが、該苗床内の水位（深さ）を設定するにあたっては、低すぎてヨシの茎１５が乾燥したり、高すぎてヨシの茎１５が水没したりすることで育苗に悪影響が出ないよう、なおかつ苗床２内の流水性が阻害されることがないよう留意する。例えば、ヨシの茎１５が冠水する程度の深さ、具体的には数ｃｍとすることが考えられる。
【００６６】
給水設備３は、水源としての河川（図示せず）から導水された水を貯水する開放型貯水槽６と、該開放型貯水槽内と発芽発根用貯水池４内や苗床２内とを連通させる給水管５とから構成してあり、発芽発根用貯水池４及び苗床２内では、かかる給水設備３から供給された水が流水するようになっている。
【００６７】
開放型貯水槽６は、水の流入時あるいは貯水時に該水の中に酸素を溶け込ませることができるよう、流入貯水される水が大気に接するように上面を開放して構成してある。かかる開放型貯水槽６は図１(b)でよくわかるように、苗床２及び発芽発根用貯水池４よりも高い位置へ設置してあり、苗床２や発芽発根用貯水池４とのヘッド差（高さに起因する水圧）によって苗床２及び発芽発根用貯水池４への給水がスムーズに行われるとともに、その結果として、苗床２や発芽発根用貯水池４内の水が自然に流水するようになっている。
【００６８】
ここで、苗床２は、二つを直列に配置するとともに、互いに隣接する苗床２，２同士を連通管７で連通させてあり、該連通管内を上流側の苗床２（図１では右側）から下流側の苗床２（図１では左側）に水が流入するように構成してあるとともに、各苗床２のうち、上流側に位置する苗床には給水管５を連通させ、下流側に位置する苗床には排水管８を連通させてあり、給水設備３から給水された水が、給水管５、苗床２、連通管７、苗床２の順序で流れ、排水管８を介して河川、湖沼、排水溝等に排水されるようになっている。
【００６９】
発芽発根用貯水池４についても同様であり、その上流側には給水管５を連通させ、下流側には排水管８を連通させることにより、給水設備３から給水された水を、給水管５を通じて発芽発根用貯水池４に流し、これを排水管８を介して河川、湖沼、排水溝等に排水するようになっている。
【００７０】
ここで、連通管７及び排水管８は、図２及び図３でよくわかるようにそれらの上流側端部開口１８が鉛直上方を向くように該上流側端部にてほぼＬ字状に曲げてあり、苗床２や発芽発根用貯水池４に張られた水１７の水位が上流側端部開口１８を上回ったとき、水１７は、該上流側端部開口１８を越流して連通管７や排水管８に流れ込むようになっている。すなわち、上流側端部開口１８の設置高さは、苗床２や発芽発根用貯水池４内の水をオーバーフロー水として下流側に流しあるいは排水する越流水位となる。
【００７１】
なお、給水管５の下流側端部には、苗床２や発芽発根用貯水池４への給水量を調整できるよう、流量調整バルブ１９を設けてある。
【００７２】
本実施形態に係るヨシの育苗システムを用いてヨシの育苗を行うには、まず、図２に示すように、水１７が貯留された発芽発根用貯水池４の水の表面近傍にヨシの茎２１を浮上静置し、次いで、該発芽発根用貯水池に給水設備３で水を流水供給しながら、ヨシの茎２１から発芽発根させる。
【００７３】
ヨシの茎２１を浮上静置して発芽発根させる際は、必要に応じてヨシの茎２１の頂部を切り取り、茎の長さ方向への成長を止めた上で、かかるヨシの茎２１を複数本緩く束ね、これを水に浮かべるのが望ましい。
【００７４】
このようにすると、ヨシの茎２１が反って乾燥したり水没したりするのを防止することができるほか、発芽発根したヨシの茎２１が倒れてしまうのを防止することも可能となる。
【００７５】
なお、かかる工程により、１〜２週間でヨシの茎２１から発芽発根させることができることを実験で確認済みである。
【００７６】
次に、図３に示すように、発芽発根したヨシの茎２１を節が含まれるように必要に応じて短く切り取り、次いで、かかるヨシの茎１５を苗床２に水平配置する。
【００７７】
発芽発根したヨシの茎１５を苗床２に配置するにあたっては、ヨシの根が苗床資材１６に定着し栄養分を苗床資材１６から吸収しやすいように、ヨシの茎１５を苗床資材１６に若干埋設するように配置するのが望ましいと考えられるが、発根発芽の状況によっては、苗床資材１６の上に置いたり、水１７に浮かべたりといった態様も考えられる。いずれにしろ、ヨシの茎１５の乾燥及び水没の防止並びに流水の確保には留意する。
【００７８】
次に、給水設備３で苗床２に水を流水供給しながら、ヨシの茎１５からヨシを育苗する。
【００７９】
このようにすると、苗床２に水平配置されたヨシの茎１５は、育苗資材１６へと根を伸ばして苗として成育するが、苗床２に水を流水供給しながらヨシの苗を育苗するため、従来の育苗方法を用いた場合よりもヨシを早く成育させることができる。なお、ヨシが十分育苗した後は、適宜湿地帯へ移植したり、苗として出荷したりすることとなる。
【００８０】
なお、かかる工程により、２〜３週間で移植可能な状態の苗に育てることができることを実験で確認済みである。
【００８１】
以上説明したように、本実施形態に係るヨシの育苗システム１によれば、ヨシの育苗を行う際、苗床２にヨシの茎１５を水平配置し、給水設備３で苗床２に水を流水供給しながら育苗するので、従来の育苗方法を用いた場合よりもヨシの成育が早く、育苗作業を開始してから１，２ヶ月ほどで移植可能な状態にすることができる。これは、苗床２内の水を流水させることによって苗床２に十分な酸素が供給されるためと思われる。
【００８２】
そのため、年間３〜４サイクルの育苗が可能となり、大量の苗を効率よく育てることが可能となる。
【００８３】
また、苗床２に予め苗床資材１６を敷設してあるため、苗として育ったヨシの茎１５を苗床資材１６とともに掘り出し、これを移植したり出荷用のポットに入れるだけで足りる。そのため、従来のように、育苗工程の中間段階においてポットに植え替えをする必要がなくなる。
【００８４】
また、本実施形態に係るヨシの育苗システム１によれば、河川から導水された水を開放型貯水槽６に貯水する際、水の中に多量の酸素が溶け込むため、酸素を多く含んだ水を給水管５を介して苗床２に流入させ該苗床内の水を流水させることが可能となり、ヨシの育苗に必要な酸素を十分に苗床２に供給することが可能となる。
【００８５】
また、所定の越流水位を上回った水が苗床２の外に排水されるため、苗床２内の水を確実に流水させることができるとともに、苗床２の水位をヨシの育苗に適した水位に保つことが可能となる。
【００８６】
また、本実施形態に係るヨシの育苗システム１によれば、苗床２を直列に複数配置し、該苗床のうち、互いに隣接する苗床２，２同士を連通管７で連通させて該連通管内をオーバーフロー水が上流側の苗床２から下流側の苗床２に流入するようにするとともに、各苗床２のうち、最も上流側に位置する苗床２に給水管５を連通させたので、複数の苗床２内の水を効率よく流水させることが可能となる。
【００８７】
また、本実施形態に係るヨシの育苗システム１によれば、水が貯留され該水の表面近傍にヨシの茎２１を浮上静置可能な発芽発根用貯水池４を設けたので、発芽発根したヨシの茎のみを選別して苗床２に配置することが可能となり、苗床２を効率よく使用することができるとともに、ヨシの育苗効率を向上させることができる。
【００８９】
本実施形態では、給水設備３を構成する開放型貯水槽６の設置高さを高くすることによって、苗床２内の流水を確保するようにしたが、苗床内の流水を確保する手段は、かかる構成に限定されるものではなく、所定の給水ポンプや排水ポンプを用いた給水設備を用いて強制的に流水させるように構成してもかまわない。また、給水設備によって流水を確保するのではなく、苗床の構成によって該苗床内の流水を確保するようにしてもかまわない。例えば、地形の段差や斜面等を利用して苗床を作れば、該苗床に自然に流水させることができる。
【００９０】
また、本実施形態では、オーバーフロー水は、これをそのまま河川、湖沼、排水溝等に排水するようにしたが、これに代えて、オーバーフロー水を開放型貯水槽６に循環させるようにしてもかまわない。
【００９１】
また、本実施形態では、発芽発根用貯水池４を一つ、苗床２を二つ設けるように構成したが、発芽発根用貯水池や苗床の数が任意であることは言うまでもない。
【００９２】
また、本実施形態では、苗床２を直列に配置するとともに隣接する苗床２，２同士を連通管７で互いに連通させるようにしたが、各苗床２に水が供給されるとともに該苗床内の水を流水させることができるのであれば、苗床２をどのように配置するかは任意であり、例えば、各苗床を直列に配置せずに並列に配置するようにしてもかまわないし、直列に配置した苗床を複数並列させるようにしてもかまわない。
【００９３】
発芽発根用貯水池の数や配置についても同様である。また、発芽発根用貯水池と苗床を組み合わせる、例えば、これらを直列配置するとともに所定の連通管を介して互いに連通するように構成してもかまわない。
【００９４】
また、本実施形態では、苗床資材１６として砂や土などを使用するようにしたが、これに代えて、浚渫泥土又は該浚渫泥土を脱水処理して生成された脱水ケーキを苗床資材としてもかまわない。
【００９５】
かかる場合においては、浚渫泥土又は該浚渫泥土を脱水処理した脱水ケーキに栄養塩が多く含まれているため、ヨシの成育により適した環境となり、かくしてヨシの成長が促進され育苗期間がより短縮される。また、脱水ケーキは、通常、固化材を添加して盛土材等に利用されることが多いが、固化材を添加しない脱水ケーキや脱水処理しない浚渫泥土については、これらを廃棄処分することなく、有効利用することが可能となる。
【００９６】
（参考実施形態）
【００９７】
次に、参考実施形態に係るヨシの移植方法について説明する。なお、上述の実施形態と実質的に同一の部品等については同一の符号を付してその説明を省略する。
【００９８】
本実施形態に係るヨシの移植方法においては、まず、図４に示すように、水辺３１にヨシが生育している水域３２の底泥３３を浚渫し、次いで、浚渫された浚渫泥土を脱水処理して脱水ケーキを生成する。
【００９９】
かかる工程は、例えば、高濃度浚渫船で底泥３３を浚渫し、これを土砂分離装置で土砂分離した後、そのオーバー泥水をいったん沈砂槽に静置し、次いで、その上澄み泥水を攪拌槽に移してから凝集剤を添加して攪拌混合した後、スクリューデカンタやフィルタープレス等の脱水装置で脱水し、そのアンダー分を脱水ケーキとして使用することができる。
【０１００】
次に、かかる脱水ケーキを苗床資材１６としたヨシの育苗システム１でヨシを育苗する。ヨシの育苗システム１については、上述の実施形態及びその変形例で詳細に説明したので、ここではその説明を省略する。なお、ヨシの育苗システム１は、水域３２の近傍、例えば沿岸部に適当な育苗ヤードを造成し、該育苗ヤードに構築する。
【０１０１】
ヨシの育苗システム１にて移植可能な状態にヨシを育苗したならば、かかるヨシの苗を水域３２に形成された湿地帯としての干潟３４に移植する。干潟３４は、自然に存在するものでもよいし、人工的に造成されたものでもよい。
【０１０２】
ヨシの苗を移植するにあたっては、育苗させたヨシの苗を苗床資材１６ごと掘り出し、これを例えば袋詰めにして干潟３４まで運搬すればよい。
【０１０３】
以上説明したように、本実施形態に係るヨシの移植方法によれば、底泥３３の浚渫を行っている水域近傍で、脱水ケーキの生成、苗床２の設置、ヨシの育苗、ヨシの移植といった全ての作業を行うことができるため、ヨシを用いた自然修復作業の効率が向上するとともに、脱水ケーキを有効利用することによって、苗床２に使用する苗床資材１６を別途用意する必要がなくなり、経済性に優れた移植方法となる。
【０１０４】
また、全ての工程をもともとヨシが水辺に生育していた水域３２で行うことができるため、ヨシの生育環境を変動させる懸念がなくなり、ヨシの育苗及び移植を大量かつ短期間に行うことが可能となる。
【０１０５】
なお、ヨシの育苗システム１に係る作用効果については、第１実施形態と同様であり、ここではその説明を省略する。
【０１０６】
本実施形態では、苗床資材として脱水ケーキを使用したが、これに代えて浚渫泥土を使用するようにしてもかまわない。
【０１０７】
かかる構成においても、上述したと同様の作用効果を奏するほか、浚渫作業において脱水処理をする必要がなくなるという顕著な作用効果を奏する。
【図面の簡単な説明】
【０１０８】
【図１】第１実施形態に係るヨシの育苗システムを示した図で、(a)は平面図、(b)は(a)のＡ−Ａ線に沿う断面図。
【図２】第１実施形態に係るヨシの育苗システムを示した図で、図１(a)のＣ−Ｃ線に沿う断面詳細図。
【図３】第１実施形態に係るヨシの育苗システムを示した図で、図１(a)のＢ−Ｂ線に沿う断面詳細図。
【図４】第２実施形態に係るヨシの移植方法を実施している様子を示した概念図。
【符号の説明】
【０１０９】
１                          育苗システム
２                          苗床
３                          給水設備
４                          発芽発根用貯水池
５                          給水管
６                          開放型貯水槽
７                          連通管
１６                        苗床資材
３４                        干潟（湿地帯）
【図１】
0004693063.tif 000002
【図２】
0004693063.tif 000003
【図３】
0004693063.tif 000004
【図４】
0004693063.tif 000005